(57)【特許請求の範囲】
【請求項１】
バストを覆う一対のカップと、
カップの脇部から延出したサイドパネルと、
カップの上端からサイドパネルにかけて設けられた肩紐とで構成されたブラジャーであって、
左右のカップが、該カップの隣接するみぞおち部から上に向けてカーブしたカップの上辺の立ち上がり部分と、みぞおち部からカップの下辺の水平方向に伸びる水平縁部に囲まれた略三角形の部分に重ねて、略三角形の三角パッドを配設し、三角パッドの２辺を前記立ち上がり部分と前記水平縁部に取着し、残る１辺がカップの内面から離間した状態で開放されており、
左右のカップの上辺の立ち上がり部分と、みぞおち部の下端からカップの下辺の水平縁部に囲まれた略三角形の部分を、カップの残りの部分より厚肉に形成したことを特徴とするブラジャー。
【請求項２】
バストを覆う一対のカップと、
カップが設けられている前身頃と、
前身頃の脇部から延出したサイドパネルと、
カップの上端からサイドパネルにかけて設けられた肩紐とで構成されたブラジャーであって、
左右のカップが、該カップの隣接するみぞおち部から上に向けてカーブしたカップの上辺の立ち上がり部分と、みぞおち部からカップの下辺の水平方向に伸びる水平縁部に囲まれた略三角形の部分に重ねて、略三角形の三角パッドを配設し、三角パッドの２辺を前記立ち上がり部分と前記水平縁部に取着し、残る１辺がカップの内面から離間した状態で開放されており、
左右のカップの上辺の立ち上がり部分と、みぞおち部の下端からカップの下辺の水平縁部に囲まれた略三角形の部分を、カップの残りの部分より厚肉に形成したことを特徴とするブラジャー。
【請求項４】
三角パッドは軟質発泡樹脂製又は軟質袋状に形成され、取着された２辺が薄く、中央に行くほどその厚みを次第に増すクッション状のものであることを特徴とする請求項１〜３のいずれかに記載したブラジャー。
【請求項５】
カップの内側を覆う、補助パッドの収納用のポケットが更に設けられており、三角パッドは該ポケットの、カップの前記略三角形の部分に対応する部分に取着されていることを特徴とする請求項１〜４のいずれかに記載したブラジャー。
【請求項６】
三角パッドの前記２辺が面ファスナーにて取着されていることを特徴とする請求項１〜５のいずれかに記載したブラジャー。
【発明の詳細な説明】
【技術分野】
【０００１】  本発明は、特に年配の婦人やバストが貧弱な方のバストに、魅力的な谷間とボリュームアップされた美しいデコルテを安定して作ることができるブラジャーに関する。
【背景技術】
【０００２】  従来のブラジャーは、乳房形状を保持する保持機能に加えて金属製のワイヤなどを備えてバストを美しく包み込む補正機能を備えたブラジャーが提案されている(例えば特許文献１参照)。【０００３】  ところが、近年、ブラジャーを着用する際、カップ内に収容したバストをカップで心もち吊り上げ、且つ双球のバストによる谷間をカップの間に現出させ、美しいバストラインを形成することが流行するようになって来ている。ただ、カップの吊り上げにより金属製のワイヤがバストの下部に強く接触し、長期間の着用では不快感を与えることが指摘されていた。【０００４】  このため、カップ自体を改良して魅力的な谷間が表れると同時にノンワイヤとなるように工夫を施したブラジャーが開発されている。そのカップの改良例として、カップを構成する上側パネルと下側パネルと胸元側パネルとの合計３枚のパネルを縫い合わせて一体化したものが提案されている。これにより、カップ内に収容したバストをカップで心もち吊り上げた時に、内側に寄せられたある程度ボリュームのある贅肉も含めたバストを胸元側パネルで受け、胸元側にバストがはみ出ないようにして谷間をカップの間に現出させ、美しいバストラインを形成するようにした(例えば特許文献２参照)。【０００５】  しかしながら、バストのボリュームは千差万別で、ボリュームの乏しい場合でもバストラインをより強調できるものとして、特許文献２を改良したブラジャーが提案されている（特許文献３）。特許文献３に記載のブラジャーは、バストの上側を覆うと共にその腋側端部に肩紐が取り付けられる上側バスト保持面部と、バストの下側を覆う下側バスト保持面部と、バストの胸元側を覆う胸元側バスト保持面部とで構成し、前記胸元側バスト保持面部の内面に隆起部を形成した、発泡生地をモールド成形にてカップ状に成形したブラジャーのカップを用い、肩紐の吊り上げによってカップ内に収納されたバスト（腋や背中からバスト側に寄せ集められた贅肉も含む）を隆起部方向に押圧し、これが隆起部の内周面の壁に押圧され、更に胸元側に押し上げられて美しいデコルテを胸元に作り上げるというものである。
【先行技術文献】
【特許文献】
【０００６】
【特許文献１】特開２００７−７０７５３号公報
【特許文献２】特許第４９４３９６５号公報
【特許文献３】特許第５５２０４２１号公報
【発明の概要】
【発明が解決しようとする課題】
【０００７】  引用文献３では、上記のように贅肉も含め、バストにある程度のボリュームのある場合にはかなり有効なブラジャーであるが、隆起部がカップの胸元側バスト保持面部の内面に一体的に形成されているために、隆起部に向かって寄せられたバストを受動的に上方に方向を変えてバストアップを図ることしかできなかった。更に年配の方や贅肉も含め、殆どバストにボリュームのない場合には隆起部の内周面の壁で押し上げるボリュームそのものが殆どなく、従ってこの場合には有効ではなかった。【０００８】  そこで本発明は、このように贅肉も含め殆どボリュームを望めないような方や、特にバストのみぞおち部分にボリュームがなく、しかも垂れ下がった年配の方にでもバストに胸の谷間は勿論、バストを自然に押し上げて胸元に美しいデコルテを現出することができるブラジャーを提供することを目的とする。
【課題を解決するための手段】
【０００９】  請求項１に記載した発明は、  バストＢを覆う一対のカップ２０と、  カップ２０の脇部から延出したサイドパネル４０と、  カップ２０の上端からサイドパネル４０にかけて設けられた肩紐５０とで構成されたブラジャー１０であって、  左右のカップ２０が、該カップ２０の隣接するみぞおち部２０ａから上に向けてカーブしたカップ２０の上辺２０ｄの立ち上がり部分２８と、みぞおち部２０ａからカップ２０の下辺２０ｐの水平方向に伸びる水平縁部２９に囲まれた略三角形の部分Ｓに重ねて、略三角形の三角パッド７０を配設し、三角パッド７０の２辺７０ｂ，７０ｃを前記立ち上がり部分２８と前記水平縁部２９に取着し、残る１辺７０ａがカップ２０の内面から離間した状態で開放されていることを特徴とする。【００１０】  請求項２に記載した発明は、  バストＢを覆う一対のカップ２０と、  カップ２０が設けられている前身頃３１と、  前身頃３１の脇部から延出したサイドパネル４０と、  カップ２０の上端からサイドパネル４０にかけて設けられた肩紐５０とで構成されたブラジャー１０であって、  左右のカップ２０が、該カップ２０の隣接するみぞおち部２０ａから上に向けてカーブしたカップ２０の上辺２０ｄの立ち上がり部分２８と、みぞおち部２０ａからカップ２０の下辺２０ｐの水平方向に伸びる水平縁部２９に囲まれた略三角形の部分Ｓに重ねて、略三角形の三角パッド７０を配設し、三角パッド７０の２辺７０ｂ，７０ｃを前記立ち上がり部分２８と前記水平縁部２９に取着し、残る１辺７０ａがカップ２０の内面から離間した状態で開放されていることを特徴とする。【００１１】  請求項３に記載した発明は、請求項１又は２のカップ２０に関し、  左右のカップ２０の上辺２０ｄの立ち上がり部分２８と、みぞおち部２０ａの下端からカップ２０の下辺２０ｐの水平縁部２９に囲まれた略三角形の部分Ｓを、カップ２０の残りの部分Ｔより厚肉に形成したことを特徴とする。【００１２】  請求項４に記載した発明は、請求項１〜３のいずれかに記載のブラジャー１０において、  三角パッド７０は軟質発泡樹脂製又は軟質袋状に形成され、取着された２辺７０ｂ，７０ｃが薄く、中央に行くほどその厚みを次第に増すクッション状のものである、ことを特徴とする。【００１３】  請求項５に記載した発明は、請求項１〜４のいずれかに記載のブラジャー１０において、  カップ２０の内側を覆う、補助パッド８１の収納用のポケット８０が更に設けられており、三角パッド７０は該ポケット８０の、カップ２０の前記略三角形の部分Ｓに対応する部分に取着されている、ことを特徴とする。【００１４】  請求項６に記載した発明は、請求項１〜５のいずれかに記載のブラジャー１０において、  三角パッド７０の前記２辺７０ｂ，７０ｃが面ファスナー７１ａ，７１ｂにて取着されている、ことを特徴とする。
【発明の効果】
【００１５】  請求項１及び２に記載の発明によれば、外側に半球状に膨れたカップ２０の内側にて、Ｖ形に配設された立ち上がり部分２８と水平縁部２９に囲まれた略三角形の部分Ｓに重ねて、略三角形の三角パッド７０を配設し、三角パッド７０の２辺７０ｂ，７０ｃをカップ２０の略三角形の部分Ｓの立ち上がり部分２８と水平縁部２９に取着し、三角パッド７０の残る１辺（開放辺７０ａ）をカップ２０の内面から離間した状態で開放するようにしているので、非装着時には、開放辺７０ａとその近傍部分がカップ２０の内面から離間し且つカップ２０と反対方向に膨出して浮き上がった状態となる。【００１６】  そしてこのブラジャー１０を装着すると、カップ２０の内面から離間した三角パッド７０、特に、開放辺７０ａとその近傍部分（図４の格子の部分）が図１２〜１３に示すように、ボリュームのないバストＢのみぞおち部分を埋めると共に、カップ２０と反対方向への三角パッド７０の膨出力Ｆがこの部分のバストＢのかなりの部分をカップ２０内の略三角形の部分Ｓの外側に能動的に押し出し、バストＢ全体のボリュームを高める。そして、肩紐５０によってみぞおち部２０ａを中心にしてカップ２０の側縁２５側が引き上げられると、ボリュームアップされたバストＢはカップ２０の下辺２０Ｐにて全体に吊り上げられ、胸元に美しいデコルテを形成する。【００１７】  請求項３では、カップ２０の略三角形の部分Ｓがカップ２０の残る他の部分Ｔより厚肉に形成されているので、三角パッド７０がこの厚肉部分Ｓに押し出され、三角パッド７０の膨出力Ｆとの相乗効果により更にボリュームアップとデコルテ形成がより容易になる。【００１８】  請求項４では、三角パッド７０が軟質発泡樹脂製又は軟質袋状に形成され、取着された２辺７０ｂ，７０ｃが薄く、中央に行くほどその厚みを次第に増すクッション状のものであるので、ブラジャー１０を着用した時、三角パッド７０の厚肉の中央部分がカップ２０の内面に押されてバストＢ側に押し出され、ボリュームアップとデコルテ形成効果を助長する。【００１９】  請求項５では、ポケット８０が更に設けられているので、必要に応じて別に用意された補助パッド８１をポケット８０に挿入することで、不足のボリュームを補助することもできる。【００２０】  請求項６では、面ファスナー７１ａ，７１ｂを設けておくことで、三角パッド７０をカップ２０の２辺７０ｂ，７０ｃに着脱でき、数種類の三角パッド７０を用意しておけば、最適の三角パッド７０を用いることができる。
【図面の簡単な説明】
【００２１】
【図１】(ａ)は本発明のブラジャーを示す正面図であり、(ｂ)は本発明の他のブラジャーを示す正面図である。
【図２】本発明のブラジャーを示す背面図である。
【図３】図２のＸ１−Ｘ１断面拡大斜視図である。
【図４】図２のポケットがない場合の要部背面図である。
【図５】図４のＸ２−Ｘ２断面拡大斜視図である。
【図６】図５のカップ本体が２部材で構成された場合の断面拡大斜視図である。
【図７】図５に於いて、カップ本体全体が等厚で構成され、より厚肉な三角パッドが設けられた断面拡大斜視図である。
【図８】図７に於いて、カップ本体全体及び三角パッドが等厚で構成された場合の断面拡大斜視図である。
【図９】図６に於いて、三角パッドが軟質袋状に設けられた断面拡大斜視図である。
【図１０】図５に於いて、三角パッドが着脱可能に設けられた断面拡大斜視図である。
【図１１】本発明のブラジャーの装着状態の正面図である。
【図１２】図１１のＸ３−Ｘ３断面拡大斜視図である。
【図１３】図１１のＹ−Ｙ断面拡大斜視図である。
【発明を実施するための形態】
【００２２】  以下、本発明を図面に従って説明する。本発明が適用されたブラジャー１０の第１実施例は、図１(a)(b)〜図３に示すように、左右一対のカップ２０と、前身頃３１なしでカップ２０の腋側端部から直接延びるサイドパネル４０、或いは、カップ２０が取り付けられた前身頃３１の腋側端部から延びるサイドパネル４０と、肩紐５０と、カップ２０が取り付けられた前身頃３１と、カップ２０内面の胸元側三角形の部分Ｓの２辺７０ｂ，７０ｃに縫着された三角パッド７０と、カップ２０の下辺２０ｐに縫着されてこれらを連結する連結テープ３０とで大略構成されている。勿論、前身頃３１をサイドパネル４０に含め、カップ２０の両脇部分からサイドパネル４０を設けることも当然可能である。
【００２３】  カップ２０は、バストＢを覆う椀状の部材で、カップ本体２０ｈと、カップ本体２０ｈの表裏両面を必要に応じて覆う外装用布１１にて形成されている。カップ本体２０ｈは、例えば表面に薄い保護布が貼着され、所定の発泡倍率で発泡され且つ所定の厚みを有するシート状のウレタン発泡生地をカップ状にモールド成形し、これを所定カップ形状に裁断したものである。発泡生地には発泡倍率が異なるもの、即ち硬さの異なるもの、或いはこれらに所定の間隔で多数の通気孔２５が穿設されているものなど種々のものがあり、用途により適宜選定される。
【００２４】  図３のカップ本体２０ｈは、１枚もので、その上辺２０ｄは左右のカップ２０が隣接するみぞおち部２０ａから上に向けてカーブしつつ急激に立ち上がり、上辺２０ｄの、みぞおち部２０ａの下端から１／３位（２／５〜３／７）の処（この部分を立ち上がり部分２８とする）から大きくカーブして斜め上に伸び、終端２０ｅに至る。換言すれば、この場合、みぞおち部２０ａの下端から１／３位迄の立ち上がり部分２８の半径より、１／３位を越え、終端２０ｅに至る部分の半径の方が大きく設定されている。
【００２５】  カップ本体２０ｈの下辺２０ｐは、みぞおち部２０ａの下端から１／３位（２／５〜３／７）の処（この部分を水平縁部２９とする）迄略水平に伸び、この水平縁部２９から上方にカーブして終端２０ｑに至る。そして、後述する図７〜９の場合を除き、カップ本体２０ｈのモールド成形時に、この立ち上がり部分２８と水平縁部２９に囲まれた略三角形の部分Ｓを、カップ２０の残りの部分Ｔ（即ち、略三角形の部分Ｓを除く部分）より厚肉に形成する。なお、これに限られないが、この図では、立ち上がり部分２８の長さより水平縁部２９の長さの方が若干長くなっている。
【００２６】  またこの場合、略三角形の部分Ｓの厚みの変化は、カップ本体２０ｈの内面において、立ち上がり部分２８、水平縁部２９及び前記残りの部分Ｔとの境界線ｔから略三角形の部分Ｓの中央の部分に向かって厚みが漸増するように形成される。従って、カップ本体２０ｈの外面には継ぎ目や段差など不自然なラインの生じないなだらかな凸球面に形成される。なお、境界線ｔの形状は、直線状、又は厚肉部分が残りの部分Ｔ側に若干膨れた円弧状、或いは逆にみぞおち部２０ａ側に若干凹んだ形に形成される。
【００２７】  図の実施例では立ち上がり部分２８の端Ｐ１から水平縁部２９の端Ｐ２迄を繋ぐ、略三角形の部分Ｓと残りの部分Ｔとの境界線ｔは、直線或いは少し残りの部分Ｔ側に湾曲した状態に形成されているが、勿論、これに限られず、図示していないがみぞおち部２０ａ側に湾曲させるようにしてもよい。なお、カップ２０に通気性を求めるのであれば、表裏に貫通した通気孔（図示せず）が形成されている発泡生地や連続気泡の発泡生地を用いるのがよい。
【００２８】  このように形成されたカップ本体２０ｈにおいて、該略三角形の部分Ｓのモールド成形による圧縮率は残りの部分Ｔに比べて小さいので、伸縮性や柔軟性は残るが、該略三角形の部分Ｓから外れた残りの部分Ｔは大きく圧縮されるため該略三角形の部分Ｓに比べて硬くなり、伸縮性は小さい。従って、図１(b)では、上辺２０の終端２０ｅと、下辺２０ｐの終端２０ｑとの間の部分に肩紐５０の一端が取り付けられている。なお、図１(a)では、前身頃３１の上端部分に肩紐５０の一端が取り付けられている。
【００２９】  カップ本体２０ｈは図３や図５のように該略三角形の部分Ｓを残りの部分Ｔに比べてその圧縮率を小さくしてもよいが、図６〜９のように、該略三角形の部分Ｓに相当する三角相当部分２０ｈ１も残りの部分Ｔと同じ厚さにし、該三角相当部分２０ｈ１に別に用意した本体パッド２０ｈ２をモールディングによる熱着、貼り付け或いはその全周を縫着して一体化するようにしてもよい。或いは、本体パッド２０ｈ２の２辺を三角相当部分２０ｈ１の２辺（立ち上がり部分２８及び水平縁部２９）に熱着、貼り付け或いは縫着してもよく、その場合は、三角相当部分２０ｈ１の残る１辺は開放状態になって、図示していないが、内側の三角パッド７０とで二重になる。
【００３０】  図１(a)の実施例ではカップ本体２０ｈの表面に前述のように外装用布１１を張り付け、カップ２０の下辺２０ｐ全体、即ち、カップ２０の水平縁部２９から側縁２５にかけて連結テープ３０と前身頃３１とが配設され、連結テープ３０に沿ってこれらが縫着されている。更にカップ２０の下辺部分を覆うように装飾用ベルト１２を配設され、そして、カップ２０の両サイド表面及び装飾用ベルト１２の両サイド、前身頃３１を覆うようにレース生地２３が配設され連結テープ３０に沿って縫着している。なお、上記外装用布１１は無地或いは装飾生地（特に外表面）を用いてもよいし、これらのものはなくてもよい。装飾用ベルト１２は長手方向に伸縮性を示すスパンデックス布が使用されている。
【００３１】  図１(b)の場合は、前身頃３１なしで連結テープ３０及びカップ２０のみぞおち部２０ａで直接つながれる。図１(a)の実施例と同様である。
【００３２】  三角パッド７０は、図３に示すようにカップ本体２０ｈの内面側に設けられたポケット８０に取り付けられる場合と、図５に示すようにポケット８０を設けず、単独で取り付けられる場合とに分かれる。また、単独の場合、図１０に示すように縫い付けでなく、面ファスナー７１ａ，７１ｂによる取り付けの場合もある。更に、図９のように中空袋状に形成されたものもある。ここでは、図３の場合に付いて説明する。
【００３３】  ポケット８０は、カップ本体２０ｈのほぼ全面に亘って設けられた薄い布で、カップ本体２０ｈの上辺２０ｄほぼ全体及び下辺２０ｐの大部分（水平縁部２９の全体と側縁２５の水平縁部２９寄りの部分）に縫着され、上辺２０ｄの終端２０ｅ近傍からと下辺２０ｐの終端２０ｑを含む側縁２５の上部に開口８０ａが設けられている。必要があれば、この開口８０ａを利用して別に用意した補助パッド８１を収納してバストＢのボリュームアップを図ることが出来る。
【００３４】  三角パッド７０は、カップ本体２０ｈと同様、例えば表面に薄い保護布が貼着され、所定の発泡倍率で発泡され且つ所定の厚みを有するシート状の発泡ポリウレタン生地を所定形状に裁断し、カップ本体２０ｈの略三角形の部分Ｓと同じ大きさ（或いは相似形）にモールド形成される。勿論、単にカップ本体２０ｈの略三角形の部分Ｓと同じ大きさ（或いは相似形）に裁断し、これを利用することも可能である。なお、軟質発泡樹脂製が通常用いられるが、２枚の軟質シートの周囲を溶着し、且つ内部に空気を詰めた袋状のものでもよい（図９）。
【００３５】  このように形成された三角パッド７０は、ポケット８０の三角形部分対応部分にまず縫着され、次いで、三角パッド７０がカップ本体２０ｈの立ち上がり部分２８と水平縁部２９の間の三角形の部分Ｓに来るように配設され、ポケット８０と共に三角パッド７０がカップ本体２０ｈに縫着される。従って、三角パッド７０の取着辺７０ｂ，７０ｃは、カップ本体２０ｈのＶ形を形成する立ち上がり部分２８と水平縁部２９に縫着される。そして、この取着辺７０ｂ，７０ｃに挟まれる、縫着されない残る１辺（開放辺７０ａ）はカップ本体２０ｈの厚肉に形成された三角形の部分Ｓ（図７の場合は、三角形の部分Ｓは同厚）と、薄肉の残りの部分Ｔとの境界線ｔと同様、直線状又は外側に若干膨れた円弧状に形成される。ただし、三角パッド７０では、開放辺７０ａを内側に向かって凹円弧状にすることは好ましくない。三角パッド７０は周囲をモールド成形によって（或いは三角形の全周囲を縫着によって）圧縮し、中央に向かってその厚みを漸増するようにしているので、あたかもクッション状に形成される。なお、三角パッド７０の発泡生地は原則としてカップ本体２０ｈと同じものを使用してもよいが、異なるもの、カップ本体２０ｈより発泡倍率の高いもの（ソフトなもの）、逆に低いもの（硬いもの）を使用するようにしてもよい。
【００３６】  連結テープ３０は、左右一対のカップ２０同士を連結するためのものである。本実施例では、連結テープ３０としてワイヤレス(カップ２０の下辺２０ｐにワイヤボーンが挿入されていないこと)で、厚手の起毛素材をテープ状にした非伸縮性のものが採用されており、このテープ状の連結テープ３０を各カップ２０のみぞおち部２０ａの下端から下辺２０ｐの終端２０ｑに至る下辺２０ｐ全体に前身頃３１と共に縫着或いは接着され、これによってカップ２０同士が連結されている（図１(a)）。図１(b)の場合は、前身頃３１なしで、少なくとも連結テープ３０で接続される。
【００３７】  なお、図１(a) (b)の本実施例では左右のカップ２０の立ち上がり部分２８の隣接部分である、カップ２０のみぞおち部２０ａも縫着一体化されている。みぞおち部２０ａから上の部分（上辺２０ｄ）はフリーになっている。連結テープ３０に用いられる起毛素材の具体例としては、別珍、コットンネル、ベルベット、ビロード等が挙げられる。ここで、連結テープ３０に厚手の起毛素材を採用しているのは、ワイヤレスであるにも拘わらず連結テープ３０そのものの基材強度を高めてカップ２０の下側でバストＢをしっかりとサポートするとともに、連結テープ３０が肌に触れたときの着用感を高めることを目的としているからである。
【００３８】  サイドパネル４０は、前身頃３１の両脇に縫着されたスパンデックスのような強い伸縮性の繊維素材によって形成された帯状部材である。そして、一方のサイドパネル４０の先端部には、被係止具２６が取り付けられており（図１参照）、他方のサイドパネル４０の先端部には、被係止具２６に係止されるフック２７が取り付けられている（図２参照）。そして、図１(a)では、両サイドパネル４０及び前身頃３１の下辺部分には細く長手方向に強い伸縮性を持つ、伸縮ベルト４１が全長に亘って縫着されている。これに対して図１(b)では、左右のカップ２０の水平縁部２９に沿って伸縮ベルト４１が縫着されている。
【００３９】  肩紐５０は、カップ２０の位置ずれを防止するとともにカップ２０に収納されたバストＢを持ち上げて保持するものであり、肩紐５０の一端が前身頃３１の上端（図１(a)）、又はカップ２０の上辺２０ｄの終端２０ｅ（図１(b)）に接続されており、他端が背中側に位置するサイドパネル４０の上側縁に接続されている。
【００４０】  ここで、三角パッド７０の作用について説明する。カップ２０の略三角形の部分Ｓは図７、８以外では、前述のように中央に行く程、厚肉に形成されている。そして、三角パッド７０も同様に中央に行く程厚肉に形成された、クッション状で、その取着辺７０ｂ，７０ｃはカップ２０の立ち上がり部分２８と水平縁部２９に取着（縫着）されていて残る１辺７０ａがカップ２０の内面から離間した状態で開放されている。その結果、図４の格子模様で示す、開放辺７０ａとその近傍部分が図３のようにカップ本体２０ｈから離れて外に膨らみ、この部分はバスト方向（即ち、離間方向）への反発力を有している。換言すれば、三角パッド７０の開放辺７０ａが縫着されていないので、この取着一体化された周辺が中央部分に対してカップ２０の内面から離れる方向の反発力を付与している。そして、着用によってカップ２０の内面側に撓んだ三角パッド７０の膨れた中央部分が、カップ２０の略三角形の部分Ｓの膨れた中央部分に押し付けられて反発し、三角パッド７０をバストＢ側に押し返すように働く。
【００４１】  次に、三角パッド７０とカップ本体２０ｈの三角形の部分Ｓとの関係であるが、基本的には三角パッド７０とカップ本体２０ｈの三角形の部分Ｓとは同じ形状であり、三角パッド７０の開放辺７０ａと三角形の部分Ｓの境界線ｔとは直線状である。従って、着用時には、着用状態によって変わるが、ある程度の離間空間Ｄを有した状態で重なる。三角パッド７０の開放辺７０ａが外側に凸湾曲して三角形の部分Ｓの境界線ｔより外側に張り出す場合は、開放辺７０ａが三角形の部分Ｓの境界線ｔを覆うような形になり、バストＢになだらかに接触することになる。
【００４２】  次に、本発明のブラジャー１０の着用時における三角パッド７０の作用を図１１〜１３に従って説明する。ここで重要な点は、本発明のブラジャー１０は、バストＢのボリュームアップときれいなデコルテの形成を図るものであるが、特に、贅肉も含めて該ボリュームが不十分な場合に非常に有効であるという点である。ブラジャー１０を着用すると、サイドパネル４０の締め付けにより連結テープ３０には、水平方向の張力と、肩紐５０の吊り上げによる吊り上げ方向の張力が働く。これにより、連結テープ３０に縫着されているカップ２０に同じ方向の力が働く。即ち、カップ２０に肩紐５０の吊り上げにより格子模様で示す下縁部分Ｋに、みぞおち部２０ａを中心にバストＢの吊り上げ力が作用すると同時に、サイドパネル４０の締め付けによる水平方向の力により、カップ２０にバストＢを軽く押さえるような引き締め方向の張力が加わる。
【００４３】  そして着用に当たっては、バストＢは勿論、更には脇から背中にかけての贅肉をカップ２０の胸元側に寄せ集めてカップ２０内に収納するようにして、出来る限りバストＢのボリュームを高めるようにする。カップ２０に収納されたバストＢは図１２に示すように、前述のような引き締め方向の張力によってカップ２０がバストＢを軽く押さえることになるが、カップ２０の三角形の部分Ｓが三角パッド７０を上から抑え付けるので、三角パッド７０は、殆どボリュームのない着用者のみぞおち部分から胸元部分を埋め且つ、三角パッド７０の反発力により三角パッド７０に接するバストＢの胸元部分の僅かなボリュームの一部は外側に押し出される。
【００４４】  特に、前述の三角形の部分Ｓはその中央部分に向うほどその肉厚を大にする構造となっており、さらに三角パッド７０はその２辺７０ｂ，７０ｃがカップ２０の立ち上がり部分２８及び水平縁部２９に縫着一体化されて同様にその中央部分に向うほどその肉厚を大にするクッション状に形成され、残る１辺が開放辺７０ａとなっているので、厚肉部分同士が押しあって三角パッド７０、特に斜線で示す開放辺７０ａの中心部分がカップ２０の内面から離間する方向に押し出されてバストＢの胸元部分に強く押し当てられる。これによりバストＢの当該部分は外側に押し出される。
【００４５】  この押し出された部分は、カップ２０に収納された部分と合流してボリュームを増し、カップ２０の連結テープ３０の働きによりバストＢの下縁を持ち上げ肩紐５０の吊り上げ力によって胸元側へ寄せられる。このように効果的に押し出されて嵩を増したバストＢは、上記のようにみぞおち部２０ａを中心としてカップ２０のサイド部分が肩紐５０で吊り上げられ、これによって嵩の増したバストＢは脇方向からみぞおち側に寄せられ胸元に美しいデコルテを現出する。この時、連結テープ３０には従来のようなワイヤボーンが入っていないので、肌に食い込むことがなくソフトに不快感なく接触する。
【００４６】  なお、第１実施例ではポケット８０を設けているので、開口から別に用意した補助パッド８１をポケット８０に収納することで、更なるボリュームアップを図ることが出来る。
【００４７】  第２実施例は、図４〜５に示す通りで、この場合はポケット８０を設けず、三角パッド７０を直接カップ本体２０ｈの当該場所に縫着して使用する。作用効果は第１実施例と同じである。
【００４８】  図６は第１実施例の変形例で、前述のようにカップ本体２０ｈが三角相当部分２０ｈ１とこれに続く残りの部分Ｔ及び別体の本体パッド２０ｈ２とで構成され、三角相当部分２０ｈ１とこれに続く残りの部分Ｔの肉厚が同厚に形成されている。本体パッド２０ｈ２は第１実施例の三角形の部分Ｓと同じ作用をするため、クッション状に形成され三角相当部分２０ｈ１に接着、縫着或いはモールド一体成形で形成される。その他の点は第１実施例と同じである。なお、本体パッド２０ｈ２は、前述のように全面接着或いは全周縫着でもよいが、本体パッド２０ｈ２の２辺をカップ２０の立ち上がり部分２８及び水平縁部２９に取着し、残る辺を開放してもよいが、この場合は、本体パッド２０ｈ２と三角パッド７０が２重に働き、更なるボリュームアップを図ることが出来る。
【００４９】  図７は、第３実施例で、カップ本体２０ｈは全体が同じ厚みでモールド形成され、三角パッド７０がカップ本体２０ｈの三角形の部分Ｓ（或いは図６の三角相当部分２０ｈ１）配設され、その２辺が第１実施例と同様に縫着される。この場合はカップ本体２０ｈの三角形の部分Ｓに厚みがないので、その分、三角パッド７０の厚みが増加される。作用効果は第１実施例と同じである。
【００５０】  図８は、第３実施例の変形で、カップ本体２０ｈ及び三角パッド７０が全体が同じ厚みでモールド形成され、カップ本体２０ｈの三角相当部分２０ｈ１に同厚の三角パッド７０が配設され、その２辺が第１実施例と同様に縫着される。外側に半球状に膨出したカップ２０の反力とこの縫着によって薄い三角パッド７０は上記同様バストＢ側に反る。ただし、カップ本体２０ｈ及び三角パッド７０が全体が同じ厚みで薄いため、上記のボリュームアップ効果は図７に比べて弱い。カップ本体２０ｈと三角パッド７０の間に補助パッド８１を挿入すればその補強となる。
【００５１】  図９は、三角パッド７０を中空袋状にした場合で、装着や奏する作用はスポンジ製の三角パッド７０と同じである。
【００５２】  図１０は、第４実施例で、三角パッド７０が面ファスナー７１ａ，７１ｂで着脱できるようになっている点が異なる。面ファスナー７１ｂの一方はカップ２０の立ち上がり部分２８及びカップ２０の下辺２０ｐの水平縁部２９に沿って取り付けられ、面ファスナー７１ａの他方は、これらに相当する三角パッド７０の２辺に取り付けられる。面ファスナー７１ａ，７１ｂを利用することで、三角パッド７０を数種類設け、最適のものを選択して使用できる。その他の点は作用効果は第１実施例と同じである。
【００５３】  なお、図６〜１０の実施例において、三角パッド７０を図示していないが、実施例１同様にポケット８０に付けてもよい。なお、図中、矢印Ｆは前述のように力の掛かる方向を概念的に示している。
【符号の説明】
【００５４】  １０：ブラジャー、１１：外装用布、１２：装飾用ベルト、２０：カップ、２０ａ：みぞおち部、２０ｄ：カップの上辺、２０ｅ：上辺の終端、２０ｈ：カップ本体、２０ｈ１：三角相当部分、２０ｈ２：本体パッド：、２０ｐ：カップの下辺、２０ｑ：下辺の終端、２３：レース生地、２５：カップの側縁、２６：被係止具、２７：フック、２８：カップの立ち上がり部分、２９：カップの下辺の水平縁部、３０：連結テープ、３１：前身頃、４０：サイドパネル、４１：伸縮ベルト、５０：肩紐、７０：三角パッド、７０ａ：開放辺（残る一辺）、７０ｂ，７０ｃ：取着辺、７１ａ，７１ｂ：面ファスナー、８０：ポケット、８０ａ：開口、８１：補助パッド、Ｂ：バスト、Ｋ：下縁部分、Ｄ:離間空間、ｄ：離間空間の境界線、Ｆ：膨出力の掛かる方向、Ｐ１：立ち上がり部分の端、Ｐ２：水平部分の端、Ｓ：三角形の部分、Ｔ：残りの部分、ｔ：境界線。
【要約】  本発明は、贅肉も含め殆どボリュームを望めないような方や、特にバストのみぞおち部分にボリュームがなく、しかも垂れ下がった年配の方にでもバストに胸の谷間は勿論、バストを自然に押し上げて胸元に美しいデコルテを現出することができるブラジャーを提供する。  バスト（Ｂ）を覆う一対のカップ（２０）と、カップ（２０）が設けられている前身頃（３１）と、前身頃（３１）の脇部から延出したサイドパネル（４０）と、カップ（２０）の上端からサイドパネル（４０）にかけて設けられた肩紐（５０）とで構成されている。カップ（２０）のみぞおち部（２０ａ）からの立ち上がり部分（２８）と、みぞおち部（２０ａ）からの水平縁部（２９）に囲まれた略三角形の部分（Ｓ）に重ねて、略三角形の三角パッド（７０）が配設されている。この三角パッド（７０）の２辺（７０ｂ），（７０ｃ）が立ち上がり部分（２８）と水平縁部（２９）に縫着されている。【図１】
0005926861.tif 000002
【図２】
0005926861.tif 000003
【図３】
0005926861.tif 000004
【図４】
0005926861.tif 000005
【図５】
0005926861.tif 000006
【図６】
0005926861.tif 000007
【図７】
0005926861.tif 000008
【図８】
0005926861.tif 000009
【図９】
0005926861.tif 000010
【図１０】
0005926861.tif 000011
【図１１】
0005926861.tif 000012
【図１２】
0005926861.tif 000013
【図１３】
0005926861.tif 000014